(57)【要約】【課題】一般家庭の浴室内の浴槽に適用させて、簡単にサウナ効果を得ることができる補助具を提供する。【解決手段】並列させた２枚の柔軟なシート状部材３０ａ，３０ｂを隣接するそれぞれの部分を相互に重ね合わせるように配置し、浴槽の周縁部上面に配置するシート状部材の基端側３６に保持部材としての吸盤を列設してシート状部材を浴槽の周縁部に保持しうるようにした。２枚のシート状部材の重なり合う部分３５のそれぞれの側縁部３１ａ，３１ｂ内側には使用者の手を挿入できる手挿入部を設けた。保持部材としては金属製角型パイプをシート状部材の基端側３６に沿って配備してもよく、また吸盤が列設された合成樹脂製の棒状体を同様に基端側に沿って配備したものでもよい。補助具の基端側を浴槽の周縁部上面に保持し、使用者は両シート状部材を着物の襟を首の前で合わせるようにして使用し、半身浴の状態で体を浴槽内に密閉する。【選択図】図１
2005058722.tif 000002
【特許請求の範囲】
【請求項１】
並列させた２枚の柔軟なシート状部材を、その隣接するそれぞれの部分を相互に重ね合わせるように配置し、浴槽の周縁部等に配置するシート状部材の基端側に保持部材を設けてシート状部材を浴槽の周縁部等に保持しうるようにしたことを特徴とする簡易サウナ用補助具。
【請求項２】
保持部材が複数の吸盤からなり、これらの吸盤をシート状部材の基端側に沿って列設したことを特徴とする請求項１に記載の簡易サウナ用補助具。
【請求項３】
保持部材が金属製の角型パイプからなり、この角型パイプをシート状部材の基端側に沿って配備したことを特徴とする請求項１に記載の簡易サウナ用補助具。
【請求項４】
保持部材が合成樹脂製の棒状体と、この棒状体に設けられた複数の吸盤とからなり、この棒状体をシート状部材の基端側に沿って配備し、棒状体の側面に吸盤を列設したことを特徴とする請求項１に記載の簡易サウナ用補助具。
【請求項５】
２枚のシート状部材の重なり合う部分のそれぞれの側縁部内側に、使用者の手を挿入できる手挿入部を形成したことを特徴とする請求項１乃至４の何れかに記載の簡易サウナ用補助具。
【請求項６】
２枚のシート状部材の重なり合う部分のそれぞれの側縁部に使用者の首部が適合する部位に切欠部を設け、又は、それぞれの側縁部を使用者の首部に沿うように湾曲させたことを特徴とする請求項１乃至５の何れかに記載の簡易サウナ用補助具。
【発明の詳細な説明】
【発明の詳細な説明】
【技術分野】
【０００１】  本発明は、一般家庭の浴室内にある浴槽に適合させて使用し、簡易サウナとするための補助具に関するものである。
【背景技術】
【０００２】  従来の一般家庭用の浴室内にある浴槽を利用した簡易サウナに関しては以下の特許文献が挙げられる。
【特許文献１】特開２００２−２８２３３０号公報
【特許文献２】実開平６−５２６８５号公報
【０００３】  特許文献１に記載の発明は、いわば浴槽の蓋部材を改造したものであり、複数の連続した板材が折り畳まれる形式の蓋部材に、頭部と手を外部に出すことの出来る孔部等を設け、且つ、頭部等の孔部と反対側端部に加熱装置を設備したものである。
また特許文献２に記載の考案は、サウナ用浴槽シートに関するものであり、このシートが浴槽の全面を被覆し、浴槽の周縁部上面に固定された突起部材と、浴槽の蓋板の１枚を利用してシートを浴槽の上面に固定するものである。
【発明が解決しようとする課題】
【０００４】  上記特許文献１に記載のサウナ装置においては、その構成が大掛かりであって、しかも特定の浴槽にしか適合しないものである。即ち異なるサイズの浴槽には、それに適合する異なるサイズの装置を用意しなければならず、種々の異なる大きさの浴槽に対して適用できるものではない。
他方、上記特許文献２に記載のサウナ用浴槽シートは、浴槽の大きさの大小の相違には多少対処できるものの、浴槽全体をシートが被覆するため、その大きさが大きく、その扱いが面倒で、且つ、そのシートの固定が３つの突起部材と浴槽の蓋板の１枚によって行うため、その固定も極めて面倒なものとなっている。仮に、蓋板が連続した巻き取り式のものである場合には、このサウナ用浴槽シートは使用することができず、改めて分離した複数の蓋板を並列させて蓋をする形式の蓋部材を用意しなければならないものである。
そこで、本発明は、家庭用の浴槽で半身浴等をする際に、どのようなタイプの蓋部材が用いられている浴槽であっても、またどのような大きさの浴槽であっても簡単に適用することができ、またその浴槽に簡単に適用することことによってサウナ効果を発揮させることのできる補助具を提供することを課題としている。
【課題を解決するための手段】
【０００５】  上記課題を解決するために、本発明の第１のものは、並列させた２枚の柔軟なシート状部材を、その隣接するそれぞれの部分を相互に重ね合わせるように配置し、浴槽の周縁部等に配置するシート状部材の基端側に保持部材を設けてシート状部材を浴槽の周縁部等に保持しうるようにしたことを特徴とする簡易サウナ用補助具である。
ここで、シート状部材の基端側とは、その使用時、両シート状部材を使用者の首部の両側に沿わせて配置した際の使用者の頭部の後ろ側に位置する側を意味する。
【０００６】  本発明の第１のものにおいては、浴槽にお湯を通常の半分程度の量を溜めて半身浴ができるようにし、浴槽の蓋部材は半分乃至６分目程度まで被覆した状態としておき、保持部材を蓋部材が被覆されていない側の反対側の浴槽の周縁部の上面に保持させ、２枚のシート状部材をお湯の面を覆うように配置し、これらの２枚のシート状部材を両側に捲り上げて、使用者の首部がこれら両シート状部材の間に来るようにしゃがみ込んでお湯の中に入り、その後、両側のシート状部材を首の周りに左側又は右側のシート状部材をまず首に沿うように被覆し、その後他方の右側又は左側のシート状部材を首に沿うように相互に重なり合うように被覆する。換言すると、丁度着物の左右の襟部分を相互に重ね合わせるようにして被覆する。これにより両シート状部材の先端側部分（基端側の保持部材と反対側の前方部分）が浴槽の蓋部材の端部を被覆し、両シート状部材の両側縁部部分が浴槽の両側の側縁部を被覆して下方に垂れ下がった状態となる。
この状態で、約２０分乃至３０分程度浴槽で暖まることにより、半身浴の状態で、浴槽内に使用者の体が密閉された状態に置かれ、サウナに入っているのと同じ状態を維持することとなり、半身浴のままの状態で、サウナ効果を満喫でき、家庭の浴槽内でサウナに入ったのと同じ効能を享受することができることとなるのである。
【０００７】  本発明の第２のものは、上記第１の発明において、保持部材が複数の吸盤からなり、これらの吸盤をシート状部材の基端側に沿って列設したことを特徴とする簡易サウナ用補助具である。
本発明の第２のものにおいては、保持部材が複数の吸盤から形成されているために、浴槽の周縁部等の上面に保持部材を簡単に吸着させることが出来、２枚のシート状部材をその基端側で簡単に保持できることとなる。
尚、シート状部材の基端側では吸盤によりシート状部材が保持されることとなるが、このとき吸盤と吸盤の間のシート状部材は、水の表面張力により好適に浴槽の周縁部上面と密着接合するため、シート状部材と浴槽の周縁部上面との間の隙間の問題も生じず、密閉状態を維持することができる。
【０００８】  本発明の第３のものは、上記第１の発明において、保持部材が金属製の角型パイプからなり、この角型パイプをシート状部材の基端側に沿って配備したことを特徴とする簡易サウナ用補助具である。
この第３の発明においては、保持部材として金属製の角型パイプが使用されているため、保持部材の自重により特別に固定手段を用いなくとも、保持部材が浴槽の周縁部上面に載置された状態でその位置を維持することができ、簡単にシート状部材を保持できることとなる。
【０００９】  本発明の第４のものは、上記第１の発明において、保持部材が合成樹脂製の棒状体と、この棒状体に設けられた複数の吸盤とからなり、この棒状体をシート状部材の基端側に沿って配備し、棒状体の側面に吸盤を列設したことを特徴とする簡易サウナ用補助具である。
この第４の発明においては、保持部材の自重が軽いものであっても、そこに更に吸盤が列設されているために、この吸盤の吸着力により保持部材としての棒状体が浴槽の周縁部の上面又はそれに隣接する浴室の壁面等に固着され、簡単に固定され、シート状部材を保持することができる。
【００１０】  本発明の第５のものにおいては、上記第１乃至第４の何れかの発明において、２枚のシート状部材の重なり合う部分のそれぞれの側縁部内側に、使用者の手を挿入できる手挿入部を形成したことを特徴とする簡易サウナ用補助具である。
この第５の発明においては、それぞれのシート状部材の重なり合う部分の側縁部内側に使用者の手を挿入することのできる手挿入部を形成しているために、この手挿入部に使用者が手先を入れて、両シート状部材を内側から相互に重ね合わせることができる。その後シート状部材は、これらの表面に付着している水滴により相互に密着して接合した状態を維持し、特別に接合手段等を設ける必要がない。
【００１１】  本発明の第６のものにおいては、上記第１乃至第５の何れかの発明において、２枚のシート状部材の重なり合う部分のそれぞれの側縁部に使用者の首部が適合する部位に切欠部を設け、又は、それぞれの側縁部を使用者の首部に沿うように湾曲させたことを特徴とする簡易サウナ用補助具である。
この第６の発明においては、使用者の首部に接するシート状部材の側縁部に切欠部等が設けられているため、シート状部材の側縁部が使用者の首部に良好に沿うようになるため、即ち首部とシート状部材との間の隙間を極めて少なくすることができるために、サウナ効果が一段と向上することとなる。
【発明を実施するための最良の形態】
【００１２】  以下、添付の図面と共に本発明の実施の形態について説明する。
図１は、本発明に係る簡易サウナ用補助具３０の第一の実施形態を図示する全体斜視説明図である。
３０ａ、３０ｂがシート状部材であって、それぞれ柔軟な塩化ビニール製の略長方形形状の辺３１ａ、３１ｂの部分を相互に重なり合うように形成したものである。この実施形態では、後に説明する第二の実施形態と異なり、それぞれのシート状部材３０ａ、３０ｂの基端側においても相互に重ね合わされている。図中３５が重ね合わせ部分である。
２枚のシート状部材３０ａ、３０ｂは、その基端側３６で相互に縫着されているが、これら両シート状部材を相互に縫着せずに、２枚の別々のものとして保持部材によって両者を連結するようにしてもよい。【００１３】  この両シート状部材３０ａ、３０ｂの基端側３６には、その側縁に沿ってハトメ１５、１５、…が一定間隔で複数設けられており、このハトメ１５の適宜個所に保持部材としての吸盤を取り付けている。吸盤等については次図によって説明する。
この図１においては、吸盤のストッパー１２、１２、…の個所に４つの吸盤を取り付け、保持部材としている。これらの保持部材により、シート状部材３０ａ、３０ｂの基端側３６が浴槽の周縁部の上面に適切に保持されるのである。【００１４】  尚、吸盤は、基端側３６の中央部とその両端側の少なくとも３個あれば、シート状部材の保持は可能であるが、この実施形態ではシート状部材の重ね合わせ部分３５に２個、両端側に２個と合計４個設けている。また、両シート状部材の横幅は、各種の大きさの浴槽に適用できるように、最も大きい浴槽を被覆できる大きさにしている。
また、この実施形態においては、それぞれのシート状部材３０ａ、３０ｂの前方部分（基端側と反対側）の略中央部分にも吸盤１７、１７を上向にそれぞれ１個ずつ取り付けている。これは後に説明するが、使用者がこの簡易サウナ用補助具３０の使用を終えて、浴槽から出る際にそれぞれのシート状部材３０ａ、３０ｂを両側に捲り上げて、浴槽の壁面等に吸着させる目的で設けているものである。詳細は後述する。【００１５】  図２は、保持部材としての吸盤とそのストッパーを示す斜視説明図である。
１３が吸盤を示し、１２がそのストッパーである。吸盤１３の円柱形状の根元部１４がストッパー１２の下面中央部に設けられた孔部１６に嵌合し、固定される。従って、吸盤１３の根元部１４をシート状部材３０ａ、３０ｂの基端側３６に設けられたハトメ１５に挿通した後に、ストッパー１２の孔部１６を吸盤１３の根元部１４に嵌合して、吸盤１３とストッパー１２を相互に固定して、両シート状部材３０ａ、３０ｂに保持部材を着脱自在に取り付けることができる。
勿論、保持部材としての吸盤は、シート状部材の基端側に固定的に列設することもできるが、本実施形態のように取付位置をハトメ１５が設けられている位置を任意に選び、変更できるように構成した方が、浴槽の大きさに適宜対応することができる。また、吸盤の数も自由に設けることができる。【００１６】  図３は、上記実施形態に係る簡易サウナ用補助具３０の使用状態を図示した斜視説明図である。
浴槽５０内には、お湯を半分程度入れて、半身浴ができる程度にしておき、浴槽５０の蓋部材６０を６分目程度閉鎖しておく。そして、図３に図示したのように、シート状部材３０ａ、３０ｂの基端側３６を浴槽の蓋部材６０が置かれている反対側の周縁部上面に配置し、保持部材である吸盤をその浴槽の周縁部上面に吸着させる。
両シート状部材３０ａ、３０ｂは、基端側３６に捲り上げておき（この際に、吸盤１７、１７を浴槽の壁面等に吸着させておくと便利である。）、その状態で使用者が浴槽５０内に入り、しゃがみ込み、半身浴の状態となる。その後、使用者は、左側又は右側のシート状部材３０ｂ又は３０ａを首の左側又は右側に沿って浴槽５０の上に被覆して行き、そのシート状部材の先端部を蓋部材６０の端縁部に被覆し、その後他方の右側又は左側のシート状部材３０ａ又は３０ｂを首の右側又は左側に沿って被覆して、その先端部を蓋部材６０の端縁部に被覆し、本発明に係る簡易サウナ用補助具３０の浴槽５０への適用が完了する。【００１７】  この際、次に説明する第二の実施形態のように、シート状部材３０ａ、３０ｂのそれぞれの重ね合わせ部分３５の側縁部３１ａ、３１ｂ内側に使用者の手の先を挿入できる手挿入部を設けておくと、両シート状部材の重ね合わせが極めて容易となる。要は、着物の襟を首の前の所で重ね合わせる要領でシート状部材を首に沿わせ首の前で容易に重ね合わせることができるのである。そして、その重ね合わせ部分３５は、水滴により好適に密着した状態を維持することとなる。【００１８】  図４は、上記第一の実施形態の使用状態を図示する縦断面説明図である。
図中、太い実線Ｓで表わした部分がシート状部材を示しており、このシート状部材は、基端側（左側）で、ストッパー１２により取り付けられた吸盤１３によって浴槽５０の周縁部上面に保持され、その先端側（右側）は、浴槽５０の蓋部材６０の端縁部に載置され、水滴により密着され、使用者の身体を浴槽内に密閉することができる。
そして、使用者が使用を終えて、浴槽から出るときには、シート状部材は、薄地の柔軟な素材から形成されているために、シート状部材を後方に巻上げる際に、使用者の身体に密着するために、それぞれのシート状部材の前方部分の中央部分に設けられている吸盤１７、１７を浴室の後方壁面７０等に吸着させることによって好適にシート状部材の身体への密着を引き離すことができることと成るのである。仮想線で表わした状態が、シート状部材を後方に捲り上げ、吸盤１７を壁面７０に吸着させた状態を示している。【００１９】  図５は、本発明の第二の実施形態を図示する全体斜視説明図であり、図６は、２枚のシート状部材の重ね合わせ部分を上方に捲り上げた状態を示す斜視説明図である。
この実施形態では保持部材として、金属製角型パイプ１０を使用している。金属製のものを使用したのは、保持部材を浴槽の周辺部上面に載置した際に、一定の重みがあるため、保持部材が浴槽の周縁部でその位置を自重により維持し、シート状部材を簡単に保持できるからである。
２０ａ、２０ｂがシート状部材であって、それぞれ柔軟な塩化ビニール製の略長方形形状のものを相互に重なり合う部分の辺２１ａ、２１ｂを斜めに形成して、前方の先端側（保持部材が位置する基端側と反対側）の辺２３ａ、２３ｂを幅広に形成した略台形形状ものから形成されている。【００２０】  このように両シート状部材２０ａ、２０ｂが相互に重なりある部分で前方端に向かって幅広に形成されているために、後方端を角型パイプ１０に隣接してシート状部材を接続した状態で、シート状部材２０ａ、２０ｂは相互に隣接する部分が重なり合うように構成されることとなる。この実施形態においても、前記第一の実施形態のようにシート状部材の基端側においてもシート状部材が重なり合うように構成してもよい。
また、この実施形態では、２枚のシート状部材２０ａ、２０ｂの横幅は、角型パイプ１０の長手方向の長さよりも長く形成している。これは本発明に係る補助具を浴槽に適用したときに、シート状部材の両側の側縁部２４ａ、２４ｂが浴槽の両側の側面部を覆い、下方に垂れ下がるようにするためである。【００２１】  両シート状部材２０ａ、２０ｂのそれぞれの重ね合わせ部分の側縁部の辺２１ａ、２１ｂには、折り返し部２２ａ、２２ｂが形成されており、この折り返し部において縫着しない部分を形成することによって手挿入部２５ａ、２５ｂを形成している。
この手挿入部２５ａ、２５ｂに使用者が手の先を入れて、それぞれのシート状部材２０ａ、２０ｂを内側から相互に重ね合わせることができることとなる。
この手挿入部は、その部分に紐等を縫着することによって代替することもできる。
他方、上記保持部材は、金属製のものを使用したが、これを合成樹脂製のものとすることもでき、またその場合には、保持部材の下面又は側面に吸盤等の固定手段を設けて、浴槽の周縁部の上面や、浴槽の周縁部に隣接する浴室の壁面に吸着させて、重量の軽い保持部材の落下を防止するように構成することが望ましい。【００２２】  図７は、上記の第二実施形態の使用状態を図示する斜視説明図である。
まず浴槽にお湯を通常の約半分程度溜めて、半身浴ができる程度とする。
次に、浴槽５０の蓋部材６０を半分乃至６分目程度被覆する。この蓋部材の被覆の程度は、使用者が浴槽に容易に入ることができる程度に、蓋部材が一部開かれていればよい訳である。
次に本発明の第二の実施形態に係る金属製角型パイプ１０を浴槽の蓋部材が被覆されていない向い側の浴槽の周縁部上面に載置し、両シート状部材２０ａ、２０ｂを角型パイプ１０の側に捲り上げておく。【００２３】  この状態で、使用者は、浴槽の中に入り、半身浴の状態でしゃがみ込むのである。そして、そのしゃがんだ状態で、捲り上げておいたシート状部材２０ａ、２０ｂのそれぞれを両側から交互に浴槽の上を覆うようにして、例えば右側のシート状部材２０ａをまず首の右側から首に沿うようにして被覆して、そのシート状部材２０ａの前方先端部の辺２３ａを浴槽の蓋部材の端縁部上にのせ、その後左側のシート状部材２０ｂを首の左側から首の左側に添って同様に被覆して、そのシート状部材２０ａの前方先端部の辺２３ｂを浴槽の蓋部材の端縁部上に載せて図７の状態となる。このとき左右のシート状部材２０ａ、２０ｂを首の前で重ね合わせる際に、両手の手の先を図７には表れていないが、手挿入部２５ａ、２５ｂに差し込んで行うようにすることよりシート状部材を簡単に重ね合わせることが可能となるのである。【００２４】  図８は、本発明の第三の実施形態を図示する斜視説明図であり、両シート状部材の辺２１ａ、２１ｂに使用者の首によりよく適合するような切欠部を形成したものである。
即ち、右側のシート状部材２０ａには辺２１ａに略半円形の切欠部２８ａを形成し、左側のシート状部材２０ｂにも辺２１ｂに同様の略半円形の切欠部２８ｂを形成し、両シート状部材を重ね合わせることによって略円形の孔部が形成されることとなり、この部分に使用者の首部を位置させることにより、より良好に両シート状部材が首部の回りに適合し、首部とシート状部材との隙間を最小限とすることができるものである。【００２５】  以上、本発明の実施形態について説明したが、本発明においては以下の通り各種その形態を変更することが可能である。
保持部材としての吸盤の個数は、全く自由に設定することが出来、最低３箇所に設けられていればよい。但し、ハトメの数は、それよりも多く、一定間隔に設けることによって、浴槽の大きさに合わせて、ハトメの位置を選び、吸盤及びストッパーを適切な位置に取り付けることが出来る。
上記の実施形態では、保持部材としての吸盤を着脱可能として、その位置を変更できるものとして構成したが、これを固定的に設けたものとして構成することも出来る。
保持部材としての金属製の角型パイプを使用した場合は、その長手方向の長さは、必要に応じて適宜設定することができるが、通常の浴槽の内、一番小さい浴槽の短辺の長さ程度にしておけばよい。浴槽の短辺が保持部材よりも大きい場合は、その保持部材の略中央の両シート部材の隣接個所をその浴槽の短辺の略中央位置に配置すればよいからである。この場合は両シート状部材の横幅を保持部材よりも長く形成しておく必要がある。【００２６】  保持部材としては、金属製の角型パイプでなく、合成樹脂製の軽量の棒状体のものを使用することもできる。その場合には、棒状体の下面又は側面（シート状部材が設けられた側と反対側の側面等）に吸盤等の固定手段を設けることが好ましい。これらの固定手段により保持部材が浴槽の周縁部上面に固定され、又は浴槽周縁部に隣接する浴室の壁面に固定され、保持部材の浴槽周縁部からの下方への落下を防止することができる。
尚、保持部材は、上記吸盤、金属性角型パイプ、或いは合成樹脂製の棒状体以外のものを使用することも出来、シート状部材の基端部を浴槽の周縁部又はその周縁部の浴室の壁面に保持できるものであれば、螺子等どのような種類のものであってもよい。【００２７】  また、保持部材として棒状体のものと固定手段を併設した場合には、棒状体の断面形状は全く自由に設定することが可能であり、長尺の板状の帯状体からなるものであってもよい。
シート状部材の大きさは、浴槽の各種の大きさを考慮して、一番大きい浴槽に適用できる大きさとすればよい。また、保持部材として角型パイプを使用したものにあっては、その横幅をパイプの長手方向の長さとほぼ同等としてもよいし、上記したとおり、パイプが浴槽の周縁部の短編よりも短くなる場合もあるためにそのシート状部材の横幅は、保持部材よりも長く形成しておくことが好ましい。これにより浴槽のサイズの大きいものに対しても容易に適応させることができる。また前後方向の長さも必要に応じて全く自由に設定することができる。【００２８】  両シート状部材の材質も全く自由であり、化学繊維からなる織布又は不織布から形成したものでもよく、また合成樹脂製等の柔軟で、防水性を有しかつ通気性のないものを使用することが好適である。つまり、浴槽内の蒸気と熱気を逃がさない材質で柔軟なものであればよいのである。
両シート状部材は、柔軟な素材を使用しているために、重ね合わせ部に形成された切欠部を設けずに実施することも可能であり、また、その重ね合わせ部の両辺２１ａ、２１ｂを第一及び第二の実施形態のような直線的なものでなく、湾曲させることによって、より使用者の首部に適切に添うようにすることも可能である。
第一の実施形態において、シート状部材の前方部分の略中央部分に設けた吸盤１７は、任意のものであって、必要に応じて設ければよいものであって、必ずしも必須のものではなく、これなしに本発明を実施することができるものである。
【発明の効果】
【００２９】  本発明の第１の簡易サウナ用補助具においては、浴槽にお湯を通常の半分程度の量を溜めて半身浴ができるようにし、浴槽の蓋部材は半分乃至６分目程度まで被覆した状態としておき、保持部材を蓋部材が被覆されていない側の反対側の浴槽の周縁部の上面に保持させ、２枚のシート状部材をお湯の面を覆うように配置して保持し、これらの２枚のシート状部材を両側に捲り上げて、使用者の首部がこれら両シート状部材の間に来るようにしゃがみ込んでお湯の中に入り、その後、両側のシート状部材を首の周りに左側又は右側のシート状部材をまず首に沿うように被覆し、その後他方の右側又は左側のシート状部材を首に沿うように相互に重なり合うように被覆する（丁度着物の左右の襟部分を相互に重ね合わせるようにして被覆する）。これにより両シート状部材の前方先端部分（保持部材が位置する基端側と反対側部分）が蓋部材の端部を被覆し、両シート状部材の両側縁部が浴槽の両側の側縁部を被覆して下方に垂れ下がった状態となる。この状態で、約２０分乃至３０分程度浴槽で暖まることにより、半身浴の状態で、浴槽内に使用者の体が密閉された状態に置かれ、サウナに入っているのと同じ状態を維持することとなり、半身浴のままの状態で、サウナ効果を満喫でき、家庭の浴槽内でサウナに入ったのと同じ効能を享受することができることとなる。
【００３０】  本発明の第２のものは、保持部材が複数の吸盤から形成されているために、浴槽の周縁部の上面に保持部材を簡単に吸着させることが出来、２枚のシート状部材をその基端側で簡単に保持できることとなる。
【００３１】  本発明の第３のものにおいては、保持部材として金属製の角型パイプが使用されているため、保持部材の自重により特別に固定手段を用いなくとも、保持部材が浴槽の周縁部上面に載置された状態でその位置を維持することができ、固定手段を用いなくとも簡単にシート状部材を保持することができる。
【００３２】  本発明の第４のものにおいては、保持部材の自重が軽いものであっても、そこに吸盤が列設されているために、この吸盤の吸着力により保持部材としての棒状体が浴槽の周縁部の上面又はそれに隣接する浴室の壁面等に固着され、簡単に固定され、２枚のシート状部材を保持することができる。
【００３３】  本発明の第５のものは、それぞれのシート状部材の重なり合う部分の側縁部内側に使用者の手を挿入することのできる手挿入部を形成しているために、この手挿入部に使用者が手を入れて、両シート状部材を内側から相互に重ね合わせることができる。その後シート状部材は、これらの表面の水滴により相互に接合して密着した状態を維持し、接合手段等を設ける必要がない。
【００３４】  本発明の第６のものにおいては、使用者の首部に接するシート状部材の側縁部に切欠部等が設けられているため、シート状部材のかかる側縁部が使用者の首部に良好に沿うようになるため、即ち首部とシート状部材との間の隙間を極めて少なくすることができるために、サウナ効果が一段と向上することとなる。
以上本発明は簡易な構成にして多大な効果を発揮するものである。
【図面の簡単な説明】
【図１】本発明の第一実施形態の全体斜視説明図である。
【図２】本発明の第一実施形態で使用する吸盤とそのストッパーを示す全体斜視説明図である。
【図３】本発明の第一実施形態の使用状態を図示する斜視説明図である。
【図４】本発明の第一実施形態の使用状態を図示する縦断面説明図である。
【図５】本発明の第二実施形態の全体斜視説明図である。
【図６】図５の実施形態において２枚のシート状部材の重ね合わせ部分を上方に捲り上げた状態を示す全体斜視説明図である。
【図７】本発明の第二実施形態の使用状態を図示する斜視説明図である。
【図８】本発明の第三実施形態を図示する斜視説明図である。
【符号の説明】
１０…金属製角型パイプ、１２…ストッパー、１３…吸盤、２０ａ、２０ｂ、３０ａ、３０ｂ…シート状部材、２５ａ、２５ｂ…手挿入部、２８ａ、２８ｂ…切欠部、３５…重ね合わせ部分
【図１】
2005058722.tif 000003
【図２】
2005058722.tif 000004
【図３】
2005058722.tif 000005
【図４】
2005058722.tif 000006
【図５】
2005058722.tif 000007
【図６】
2005058722.tif 000008
【図７】
2005058722.tif 000009
【図８】
2005058722.tif 000010